(57)【要約】【課題】  標章等のデザイン上の制約を受けることなくベアの発生を抑制する。【解決手段】  加硫金型１のサイドウォール成形面２ｓは、その輪郭形状Ｋがタイヤ周方向に変化する。輪郭形状Ｋは、タイヤ子午断面における輪郭線Ｊのうちで、タイヤ軸方向最外側を通る第１の輪郭線Ｊａを有する谷部１０と、タイヤ軸方向最内側を通る第２の輪郭線Ｊｂを有する頂部１１とがタイヤ周方向に交互に繰り返される凹凸面状をなす。【選択図】図１
2019111682.tif 000002
【特許請求の範囲】
【請求項１】
タイヤのサイドウォール部を成形するためのサイドウォール成形面を有するサイドモールドを含むタイヤの加硫金型であって、
前記サイドウォール成形面は、その輪郭形状がタイヤ周方向に変化し、
かつ前記輪郭形状は、タイヤ子午断面における輪郭線のうちで、タイヤ軸方向最外側を通る第１の輪郭線を有する谷部と、タイヤ軸方向最内側を通る第２の輪郭線を有する頂部とがタイヤ周方向に交互に繰り返される凹凸面状をなすタイヤの加硫金型。
【請求項２】
前記第１の輪郭線と前記第２の輪郭線との間タイヤ軸方向の距離の最大値Ｄmax は、０．２〜２．０mmである請求項１記載のタイヤの加硫金型。
【請求項３】
前記谷部と頂部との間のタイヤ軸心を中心とした角度θは１０〜４５度である請求項１又は２記載のタイヤの加硫金型。
【請求項４】
前記谷部と頂部とはタイヤ周方向に等間隔で繰り返される請求項１〜３の何れかに記載のタイヤの加硫金型。
【請求項５】
請求項１〜４の何れかに記載のタイヤの加硫金型により生タイヤを加硫する加硫工程を含むタイヤの製造方法。 
【発明の詳細な説明】
【技術分野】
【０００１】
本発明は、サイドウォール部におけるベアの発生を抑えるタイヤの加硫金型及びタイヤの製造方法に関する。
【背景技術】
【０００２】
タイヤを加硫成形する際、加硫金型とタイヤとの間に空気溜まりが発生し、タイヤの外面にベア（凹み部分）が生じることが知られている。特に、タイヤのサイドウォール部は、文字、記号などである標章が凹凸状に形成されているため、空気が溜まりやすくベアが発生しやすい。
【０００３】
このようなベアの発生を防ぐため、加硫金型のサイドウォール成形面に多数の排気用のベントホールを設けることが知られている。しかしベントホールを多数配置すると、それに応じてスピューと呼ばれるゴム突起の本数が増大し、タイヤの美観を損ねるという問題がある。
【０００４】
近年においては、サイドウォール成形面に半径方向にのびる細溝状のソーカットを設け、これを空気の通路として使用し排気効率を高めることも提案されている（例えば特許文献１参照）。
【０００５】
しかし、ソーカットの場合、その形成位置は、標章の配置や大きさなどのデザイン上の制約を受ける。そのため、ソーカットを半径方向に連続して設けることができなかったり、又ソーカット自体を配置できない場所が生じるなど、設計の自由度を損ねたり、又ベアの発生を十分に抑制できない場合も起こりうる。
【先行技術文献】
【特許文献】
【０００６】
【特許文献１】特開２０１４−７６５７５号公報
【発明の概要】
【発明が解決しようとする課題】
【０００７】
本発明は、標章等のデザイン上の制約を受けることなくベアの発生を抑制しうるタイヤの加硫金型及びタイヤの製造方法を提供することを主たる目的としている。
【課題を解決するための手段】
【０００８】
本願の第１発明は、タイヤのサイドウォール部を成形するためのサイドウォール成形面を有するサイドモールドを含むタイヤの加硫金型であって、
前記サイドウォール成形面は、その輪郭形状がタイヤ周方向に変化し、
かつ前記輪郭形状は、タイヤ子午断面における輪郭線のうちで、タイヤ軸方向最外側を通る第１の輪郭線を有する谷部と、タイヤ軸方向最内側を通る第２の輪郭線を有する頂部とがタイヤ周方向に交互に繰り返される凹凸面状をなす。
【０００９】
本発明に係るタイヤの加硫金型では、前記第１の輪郭線と前記第２の輪郭線との間タイヤ軸方向の距離の最大値Ｄmax は、０．２〜２．０mmであるのが好ましい。
【００１０】
本発明に係るタイヤの加硫金型では、前記谷部と頂部との間のタイヤ軸心を中心とした角度θは１０〜４５度であるのが好ましい。
【００１１】
本発明に係るタイヤの加硫金型では、前記谷部と頂部とはタイヤ周方向に等間隔で繰り返されるのが好ましい。
【００１２】
本願の第２発明は、タイヤの製造方法であって、第１発明のタイヤの加硫金型により生タイヤを加硫する加硫工程を含む。
【発明の効果】
【００１３】
本発明において、サイドウォール成形面の輪郭形状は、タイヤ子午断面における輪郭線のうちで、タイヤ軸方向最外側を通る第１の輪郭線を有する谷部と、タイヤ軸方向最内側を通る第２の輪郭線を有する頂部とがタイヤ周方向に交互に繰り返される凹凸面状をなす。
【００１４】
そのため、加硫成形時、タイヤとサイドウォール成形面との間には、前記谷部を頂点とした断面略三角形状のスペースが形成される。このスペースは、半径方向内外に連続してのびる。従って、このスペースが排気路として機能し、タイヤとサイドウォール成形面との間の空気を外部に排気することができる。
【００１５】
このような輪郭形状は、標章等のデザイン上の制約を受けない、或いは前記デザインに制約を与えない。そのため、設計の自由度を広く確保しながら、ベアの発生を抑制することができる。
【図面の簡単な説明】
【００１６】
【図１】本発明のタイヤの加硫金型の一実施形態を示す子午断面図である。
【図２】サイドモールドの斜視図である。
【図３】サイドウォール成形面をタイヤ軸方向内側から見た側面図である。
【図４】（Ａ）はサイドウォール成形面のタイヤ周方向断面を平面に展開して示す部分展開図、（Ｂ）は本発明の作用効果を示す図面である
【図５】（Ａ）は本発明の加硫金型によって形成されたタイヤの子午断面図、（Ｂ）は部分斜視図である。
【発明を実施するための形態】
【００１７】
以下、本発明の実施の形態について、詳細に説明する。
図１に示すように、本実施形態のタイヤの加硫金型１は、タイヤ軸方向両側に配されるサイドウォール形成用の一対のサイドモールド２と、トレッド形成用のトレッドモールド４と、各サイドモールド２のタイヤ半径方向内端部に配されるビード形成用のビードリング５とを具える。便宜上、図１には、タイヤ赤道面Ｃｏのタイヤ軸方向一方側のみが描かれている。
【００１８】
加硫金型１は、サイドモールド２の半径方向外端側の突き合わせ面Ｓ１と、トレッドモールド４のタイヤ軸方向両側かつ半径方向内端側の突き合わせ面Ｓ２とが互いに突き合わされ、かつサイドモールド２の半径方向内端側の突き合わせ面Ｓ３と、ビードリング５の半径方向外端側の突き合わせ面Ｓ４とが互いに突き合わされる金型閉状態ＹにてタイヤＴの加硫成形が行われる。
【００１９】
サイドモールド２は、タイヤＴのサイドウォール部を成形するためのサイドウォール成形面２ｓを具える。トレッドモールド４は、タイヤＴのトレッド部を成形するためのトレッド成形面４ｓを具える。ビードリング５は、タイヤＴのビード部を成形するためのビード成形面５ｓを具える。
【００２０】
トレッドモールド４及びビードリング５として従来と同様の構造が採用しうる。又サイドモールド２として、前記サイドウォール成形面２ｓ以外、従来と同様の構造が採用しうる。従って、以下に、サイドウォール成形面２ｓを中心に説明する。
【００２１】
図２に示すように、サイドウォール成形面２ｓは、その輪郭形状Ｋがタイヤ周方向に繰り返して変化する。具体的には、輪郭形状Ｋは、谷部１０と、頂部１１とがタイヤ周方向に交互に繰り返される凹凸面状をなす。タイヤ子午断面における輪郭線Ｊのうち、谷部１０は、タイヤ軸方向最外側を通る第１の輪郭線Ｊａを有する。又頂部１１は、輪郭線Ｊのうち、タイヤ軸方向最内側を通る第２の輪郭線Ｊｂを有する。なお谷部１０と頂部１１との間では、輪郭線Ｊは滑らかに変化している。
【００２２】
前記「輪郭形状Ｋ」には、サイドウォール成形面２ｓに一般に形成される文字、記号、図形などである標章、及びリッジ等の装飾模様などからなる部分的な微少な凹凸は含まれない。
【００２３】
図１に示すように、第１の輪郭線Ｊａと第２の輪郭線Ｊｂとの間のタイヤ軸方向の距離Ｄの最大値Ｄmax は、０．２〜２．０mmであるのが好ましい。本例では、前記最大値Ｄmax は、タイヤ最大巾位置Ｐｍにおける距離Ｄとして表れる。
【００２４】
図３に示すように、谷部１０と頂部１１との間のタイヤ軸心ｉを中心とした角度θは１０〜４５度であるのが好ましい。特には、谷部１０と頂部１１とがタイヤ周方向に等間隔で繰り返されるのが好ましい。なお等間隔でない場合、前記角度θの最大値及び最小値が前記１０〜４５度の範囲に入るのが好ましい。
【００２５】
図４（Ａ）は、サイドウォール成形面２ｓのタイヤ周方向断面を平面に展開して示す部分展開図である。同図に示すように、本例では、谷部１０、１０間が、サイドウォール成形面２ｓよりもタイヤ軸方向外側に中心を有しかつ頂部１１を通る円弧状曲線１５によって形成される。この場合、サイドウォール成形面２ｓは、谷部１０ではエッジ状をなし、頂部１１では滑らかな円弧状をなす。なお前記展開図において、サイドウォール成形面２ｓを、谷部１０、１０間が波の一周期となる正弦曲線等の波状曲線で形成されても良い。これにより、谷部１０及び頂部１１を滑らかな曲線とすることができる。
【００２６】
このようなサイドモールド２では、図４（Ｂ）に示すように、加硫成形時、タイヤＴとサイドウォール成形面２ｓとの間には、谷部１０を頂点とした断面略三角形状のスペースＨが形成される。このスペースＨは、半径方向内外に連続しのびる。従って、加硫中のゴム流動によりスペースＨがゴムＧで埋まるまでの間、スペースＨが排気路として機能し、タイヤＴとサイドウォール成形面２ｓとの間の空気を、半径方向内外に逃がすことができる。逃げた空気は、本例では、図１に示すように、サイドモールド２とトレッドモールド４との突き合わせ部２０、及びサイドモールド２とビードリング５との突き合わせ部２１を通って金型外に排気させることができる。
【００２７】
要求により、前記谷部１０の位置に、ベントホールを形成することもできる。この場合にも、空気がスペースＨに集合するため、ベントホールの形成数を大幅に減じることができる。このような輪郭形状Ｋを有するサイドウォール成形面２ｓは、標章等のデザイン上の制約を受けない、或いは前記デザインに制約を与えない。そのため、設計の自由度を広く確保しながら、ベアの発生を抑制することができる。
【００２８】
ここで、第１、第２の輪郭線Ｊａ、Ｊｂ間のタイヤ軸方向の距離Ｄの最大値Ｄmax （図１に示す）が０．２mmを下回ると、前記スペースＨが過小となって排気路として十分に機能しなくなる。逆に最大値Ｄmax が２．０mmを越えると、サイドウォール部におけるゲージ厚さがタイヤ周方向に不均一化する、その結果、ラテラル・ランアウト（ＬＲＯ）の悪化を招く。このような観点から最大値Ｄmax の下限は０．５mm以上が好ましく、上限は１．５mm以下が好ましい。
【００２９】
又谷部１０と頂部１１との間の前記角度θ（図３に示す）が１０度を下回ると、タイヤ周方向に凹凸が頻繁に現れるため、タイヤの外観性能の悪化を招く。逆に角度θが４５度を越えると、スペースＨ（排気路）の間隔が大となり、排気が不充分となってベア発生の抑制効果が低下する。このような観点から角度θの下限は１５度以上が好ましく、上限は３０度以下が好ましい。
【００３０】
図５（Ａ）、（Ｂ）に、タイヤの製造方法によって形成された空気入りタイヤＴが示される。このタイヤの製造方法は、前記加硫金型１によって生タイヤを加硫する加硫工程を含む。
【００３１】
図５（Ａ）、（Ｂ）には、空気入りタイヤＴの内部構造が省略されて描かれているが、従来と同様のタイヤ内部構造が採用しうる。即ち、例えば、タイヤの骨格をなすカーカス、カーカスの半径方向外側かつトレッド部Ｔ１に配されるベルト層、ベルト層の半径方向外側に配されるバンド層、ビード部Ｔ２に配されるビードコアなどの周知の構成部材を具えることができる。
【００３２】
空気入りタイヤＴでは、前記加硫金型１によって加硫成形されることにより、サイドウォール部Ｔ３の外面のタイヤ輪郭形状Ｍは、タイヤ周方向に繰り返して変化する。具体的には、タイヤ輪郭形状Ｍは、タイヤ子午断面における輪郭線Ｒがタイヤ軸方向最内側を通る谷部３１と、輪郭線Ｒがタイヤ軸方向最外側を通る頂部３２とがタイヤ周方向に交互に繰り返される凹凸面状をなす。谷部３１における輪郭線と頂部３２における輪郭線との間タイヤ軸方向の距離Ｌの最大値Ｌmax は、加硫金型１における前記距離Ｄの最大値Ｄmax と等しい。
【００３３】
以上、本発明の特に好ましい実施形態について詳述したが、本発明は図示の実施形態に限定されることなく、種々の態様に変形して実施しうる。
【実施例】
【００３４】
タイヤサイズ２３５／５５Ｒ１９の乗用車用タイヤを、表１に記載の仕様を有する加硫金型を用いて加硫成形した。その時の、ベアの発生状況、タイヤのラテラル・ランアウト（ＬＲＯ）を比較した。
【００３５】
比較例では、サイドウォール成形面に、半径方向にのびる細溝状のソーカット（溝巾０．５〜１．０mm、溝深さ０．５〜１．０mm）をタイヤ周方向に１８箇所形成した。ソーカットを等間隔を有して１８箇所形成した場合、ソーカットが文字デザイン（標章）と干渉する部分が複数箇所発生する。従って比較例では、干渉する部分において、ソーカットの位置をずらしたり、ソーカットの一部を削除することで、対応している。
【００３６】
（１）ベアの発生状況：
１０００本のタイヤを製造し、サイドウォール部の外観を目視検査した。そして空気溜まりに原因するベアが発生するタイヤの発生率（％）を、ベア発生率として求めた。数値が小さいほどベアの発生が少なく、外観品質に優れている。
【００３７】
（２）ラテラル・ランアウト（ＬＲＯ）：
ユニフォミティ試験機を用い、１０００本のタイヤについてラテラル・ランアウト（ＬＲＯ）を測定するとともに、その平均値を比較した。数値が小さいほどラテラル・ランアウト（ＬＲＯ）が小さく、ユニフォミティに優れている。
【００３８】
【表１】
2019111682.tif 000003
【００３９】
表に示すように、実施例は、設計の自由度を広く確保しながら、ベアの発生を抑制しうるのが確認できる。
【符号の説明】
【００４０】
１  タイヤの加硫金型
２  サイドモールド
２ｓ  サイドウォール成形面
１０  谷部
１１  頂部
ｉ  タイヤ軸心
Ｊ、Ｊａ、Ｊｂ  輪郭線
Ｋ  輪郭形状
Ｔ  タイヤ
Ｔ３  サイドウォール部
【図１】
2019111682.tif 000004
【図２】
2019111682.tif 000005
【図３】
2019111682.tif 000006
【図４】
2019111682.tif 000007
【図５】
2019111682.tif 000008